(57)【要約】【課題】  片手でも容易に携帯電話をポケットから取り出すことができ、且つ、無用な携帯電話のポケットからの脱落も防止できるウェアを提供する。  【解決手段】  この釣り用ベスト１の左側の前身頃２の裏側面（前裏見頃）には、ポケット１０が設けられている。ポケット１０は、ポケット本体１１と、開口１２と有する。この開口１２は、ウェア本体１の袖ぐりに向かって形成されている。ユーザは、この釣り用ベスト１を着用したまま、片手を袖ぐりから釣り用ベスト１の裏側に挿入し、ポケット１０から携帯電話を取り出すことができる。【選択図】  図２
2005029945.tif 000002
【特許請求の範囲】
【請求項１】
ベスト型のウェアであって、
左右一対の前身頃を有するウェア本体と、
前記ウェア本体の左右の何れかの前裏身頃に設けられ、左右何れかの袖ぐりに向かって形成されている開口を有するポケット本体と、
を備えたウェア。
【請求項２】
前記ポケット本体は、携帯電話を収納可能な略矩形型であって、前記ウェア本体の左右の何れかの前裏身頃の袖ぐりと打ち合わせとの間に、上下方向に前記矩形型の長手方向が位置するように形成されており、前記開口がポケット本体の略矩形型の上部側の左右何れかの側に位置する袖ぐりに向かって形成されており、前記ポケット本体の下部が受け部分となっている、請求項１に記載のウェア。
【請求項３】
前記ポケット本体の内部に一端が連結され前記ポケット外に引き出し可能な連結紐と、
前記連結紐の他端に連結された携帯電話機水濡れ防止カバーとをさらに備える、請求項１または２に記載のウェア。
【発明の詳細な説明】
【技術分野】
【０００１】
本発明は、ノースリーブのベスト型のウェアに関する。
【背景技術】
【０００２】
魚釣り等を含めたアウトドアレジャー用に様々なウェアが提供されている。例えば、釣りに出かける際には、魚釣りであれば、釣針，釣糸，仕掛け用の錘，偽餌等様々な釣り用の小物の携帯が必要となる。また、その他のレジャーにおいても、小銭入れ，財布，喫煙具，さらに近時にあっては携帯電話も必需品となり、これらが携帯される。そこで、これらの小物を収納するために、レジャー用ウェアには多くのポケットが設けられている。
【０００３】
この携帯電話は他の小物に比較して大きく、また、呼び出し時に直ちにポケットから取り出すことができ、さらに、脱落による破損や紛失を防止する必要がある。そこで、特に、携帯電話を収納するためのポケットを設けたウェア等も数多く提案されている。例えば、ポケットの形状を所定の形状としてポケットの開口の位置を変えて、ポケット内に収納した携帯電話がむやみにポケットから脱落しないようにする技術（特許文献１参照）がある。また、別の技術では、携帯電話収納用ポケットの上端部に閉塞部を設け、さらに、ポケット上端の開口部に弾性体を配置して、携帯電話の無用な脱落を防止しつつ、取りだしも容易なように配慮した技術もある（特許文献２参照）。
【特許文献１】特開2003-147616号公報
【特許文献２】特許第2969214号公報
【発明の開示】
【発明が解決しようとする課題】
【０００４】
上述のように、携帯電話の特性に合わせたポケットを設けたウェアが提案されているが、さらなる改良が求められている。特に、アウトドアレジャー用のウェアにおいては、アウトドアレジャーの最中にも携帯電話を素早くポケットから取りだし、その脱落も防止する必要がある。レジャーの最中においては、片手で携帯電話をポケットから取り出して通話等をする必要が生じる場合もある。上述の各種のウェア乃至ポケットでは、確かに、携帯電話のポケットからの無用な脱落を図ることができる。しかし、携帯電話の取り出しを片手で円滑に行うには不便である。
【０００５】
本発明の課題は、片手でも容易に携帯電話をポケットから取り出すことができ、且つ、無用な携帯電話のポケットからの脱落も防止できるウェアを提供することにある。
【課題を解決するための手段】
【０００６】
本発明に係るウェアは、ベスト型のウェアであって、左右一対の前身頃を有するウェア本体と、前記ウェア本体の左右の何れかの前裏身頃に設けられ、左右何れかの袖ぐりに向かって形成されている開口を有するポケット本体とを備えている。
【０００７】
このウェアを着用した者は、このポケット本体に開口から携帯電話を収納しておく。例えば、釣りを行っている最中に携帯電話の呼び出しがかかった場合、当該ポケットが設けられている側と反対側の片手で釣竿を把持しながら、当該ポケットが設けられている側の他方の手で、袖ぐりから開口に他方の手を入れて、携帯電話を取り出すことができる。ノースリーブのベスト型のウェアでは、袖ぐりから前裏見頃に手を入れる余地がある。このポケットの開口は袖ぐりに向かって形成されており、袖ぐりから手を入れて素早く携帯電話を出し入れできる。また、当該ポケットは前裏見頃に設けられており、ポケット本体から携帯電話が脱落し難い。
【０００８】
さらに、携帯電話は避水性も要求される。雨や水しぶき等がかかり易いアウトドアレジャー時にあって、このポケットは前裏見頃に形成されており、外部からの水しぶき等が直接当たらない位置にある。従って、携帯電話の避水性の要請にも十分対応できる。
【０００９】
また、このウェアのポケット本体は、携帯電話を収納可能な略矩形型であって、ウェア本体の左右の何れかの前裏身頃の袖ぐりと打ち合わせとの間に、上下方向に矩形型の長手方向が位置するように形成されており、開口がポケット本体の略矩形型の上部側の左右何れかの側に位置する袖ぐりに向かって形成され、ポケット本体の下部が受け部分としてもよい。
【００１０】
このようなポケットの開口からにポケット本体内に携帯電話を収納すると、携帯電話の下部は受け部に収納され、仮に、開口が開いたままであっても、むやみに携帯電話がポケット本体から脱落しない。
【００１１】
さらに、ポケット本体の内部に一端が連結されポケット外に引き出し可能な連結紐と、連結紐の他端に連結された携帯電話機水濡れ防止カバーとをさらに備えるものとしてもよい。この場合には、携帯電話機水濡れ防止カバー内に携帯電話を収納し、当該カバーと共に、ポケット本体内に携帯電話を収納する。ウェア着用者は片手で袖ぐりから当該カバーと共に携帯電話を出し入れする。
【発明の効果】
【００１２】
このようなウェアでは、袖ぐりから携帯電話をポケット本体に出し入れ可能であり、レジャーの最中にあっても、片手で容易に携帯電話を出し入れできる。また、ポケット外に携帯電話が脱落し難い。
【発明を実施するための最良の形態】
【００１３】
本発明の１つの実施形態にかかる釣り用ベスト１を図１及び図２に示す。
【００１４】
この釣り用ベスト１は、左右一対の前身頃２と、後ろ身頃３とからなるノースリーブのベスト側のウェアである。それぞれナイロン，ポリエステル等の表地や裏地を縫合して形成されている。また、一部にはナイロン・ポリエステル等からなるメッシュ地も利用される。左右の前身頃２にはそれぞれうち合わせ部分にファスナ４が設けられており、このファスナ４によって開閉自在になっている。また、左右の前身頃２の前面には、例えば、胸部，腹部などに複数のポケット１０が設けられている。さらに、この釣り用ベスト１では、後述のように、正面から見て左側の前身頃２の前裏見頃に携帯電話収納用ポケット１０が設けられている。
【００１５】
なお、釣り用ベスト１がいわゆるフローティングベストであるような場合には、前身頃２及び後ろ身頃３の内部に浮力材Ｆが収納される（図４参照）。浮力材Ｆは、例えば、EVAの発泡材等からなる。前身頃２や後ろ身頃３の任意の箇所にファスナなどで開閉自在な開口を設けて、この開口から浮力材を出し入れ自在としてもよい。
【００１６】
図２及び３に示すように、この釣り用ベスト１の左側の前身頃２の裏側面（前裏見頃）には、ポケット１０が設けられている。
【００１７】
ポケット１０は、ポケット本体１１と、開口１２と、ポケット本体１１内に出し入れ自在に収納される携帯電話収納ケース１３と、携帯電話収納ケース１３とポケット本体１１とを連結するゴム紐１４とから構成されている。
【００１８】
ポケット本体１１は、一般的な携帯電話を十分に収納可能な大きさの略矩形型の部分である。矩形型の長手方向がウェアの上下方向に位置するように、いわば上下方向に縦長に形成されている。詳しく述べれば、このポケット本体１１は、左側の前裏身頃２のノースリーブの袖ぐりＳとファスナ４の設けられている打ち合わせ部分との間に、上下方向に前記矩形型の長手方向が位置するように形成されている。図４に示すように、ポケット本体１１は、前裏見頃地２１に略矩形型のポケット裏時２２を縫合し、前裏見頃時２１の一部に切り割りを入れて、切り割りの玉口を折り返して縫合して形成されている。この切り割りが開口１２となっている（図３参照）。
【００１９】
このポケット本体１１の上側の部分において、前裏見頃２に向かって右側の部分に開口１２が形成される。即ち、開口１２は、袖ぐりＳに向かって開口している。開口１２には、ファスナが縫合され、このファスナによって開閉自在になっている。開口１２の大きさは、ポケット本体１１の長手方向長さより短く、従って、開口１２の下端より下方にポケット本体１１が存在する。このポケット本体１１の開口１２より下部が受け部分となっている。
【００２０】
携帯電話収納ケース１３は、ナイロン，PU，PVC，PP，PE等からなる透明若しくは半透明のシートを２枚貼り合わせて形成した矩形型の袋状の部材である。内部に携帯電話を収納するために、長手方向の一方が開口しており、この開口はファスナ部材などで開閉自在としている。この携帯電話収納ケース１３の開口側の端部とポケット本体１１の開口１２付近の内部とがゴム紐１４によって連結されている。携帯電話収納ケース１３の落脱防止のためである。
【００２１】
この釣り用ベスト１では、左側の前身頃２にポケット１０を形成しているが、右側の前身頃２に形成することも可能である。この場合には、開口１２の位置は左右対称になる。
【００２２】
このような釣り用ベスト１を着用した釣人は、ポケット１０に携帯電話を収納しておく。即ち、携帯電話収納ケース１３をポケット本体１１より取りだし、その内部に携帯電話を収納し、携帯電話収納ケース１３語とポケット本体１１内に収納しておく。釣りを行っている最中に携帯電話の呼び出しがかかった場合、釣人は、左手で釣竿を把持して釣り操作をしながら、ポケット１０が設けられている正面から見て左側の前身頃２側の手（即ち、釣人の右手）を、袖ぐりＳからベスト１の裏側に差し込み、開口１２のファスナを開き、ポケット本体１１から携帯電話収納ケース１３ごと携帯電話を取り出すことができる。携帯電話収納ケース１３内に携帯電話が収納されたままでも、携帯電話の操作は可能であり、そのまま直ちに通話などができる。
【００２３】
また、着用者の身体とウェアとの間の余裕が大きい、身体にぴったりとフィットしないタイプのウェアであれば、例えば、ウェアの襟ぐりから手を入れて前裏見頃のポケットから携帯電話などをたやすく取り出すこともできる。しかし、比較的、身体にフィットするウェア（例えば、この実施形態で例示した浮力材Ｆが前身頃２と裏見頃との間に内包されているようなウェア）では、上述のような余裕がなく、前裏見頃に単にポケットを設けたに過ぎなければ、わざわざ、左右の前身頃２のファスナ４を開けて、前裏見頃のポケットから携帯電話を取り出す必要が生じる。
【００２４】
ベスト型のウェアでは袖ぐりＳが比較的大きく設定されており、身体にフィットするようなウェアであっても比較的袖ぐりＳ付近には余裕があるので、わざわざ前身頃２のファスナ４を開けなくても、容易にポケット１０から携帯電話を取り出し易い。
【００２５】
なお、この実施形態では、ポケット１０に携帯電話収納ケース１３を設けた場合を例示しているが、当該ケースを特に設けなくても良い。
【００２６】
また、ここでは、一例として釣り用ベスト１を挙げているが、釣り用ウェアに限定されるものではなく、ベスト型のウェアであれば広く適用可能である。
【図面の簡単な説明】
【００２７】
【図１】本発明の１つの実施形態を採用した釣り用ベスト１を示した図。
【図２】図１の釣り用ベスト１の前裏見頃を示した図。
【図３】図２の部分拡大図。
【図４】釣り用ベスト１の前身頃２の断面図。
【符号の説明】
【００２８】
１  釣り用ベスト
２  前身頃
４  ファスナ
１０  ポケット
１１  ポケット本体
１２  開口
１３  携帯電話収納ケース
Ｓ  袖ぐり
【図１】
2005029945.tif 000003
【図２】
2005029945.tif 000004
【図３】
2005029945.tif 000005
【図４】
2005029945.tif 000006